(57)【要約】ＫＶＭ拡張システム内のビデオ同期信号を符号化する受動ビデオ多重化システム方法および装置である。ラックインターフェイスポッド（ＲＩＰ）は、ネットワークサーバ（１２２）からのビデオ信号を受信し、その受信した信号をローカルエリアネットワーク（ＬＡＮ）を介してリモートユーザに提供するために提供される。ＲＩＰによって受信されるアナログ信号は、ビデオプロセッシングロジック、監視プロセッサ（９４）、ＫＶＭスイッチシステム（９２）およびイーサネット（Ｒ）インターフェイス回路（１１８）を有するラックコネクションマネージャ（ＲＣＭ）（１１６）へ伝達される。複数のＡＲＩシステム（１１７）は、ＲＣＭ（１１６）と複数のネットワークサーバ（１２２）へ接続され、リモートユーザによって制御されることが意図され、各ライティングストリップまたはポッド拡張モジュール（ＰＥＭ）によって各ＡＲＩ（１１７）に接続される。
2004536377.tif 000002
【特許請求の範囲】
【請求項１】
ネットワークを介して、デジタル化されたＫＶＭ信号を、リモートユーザワークステーションに伝達するために、該ネットワークと通信するように接続されたネットワークポートと、
対応するラインを介して、対応する複数のサーバに通信するように接続する複数のインターフェイスポートと、
該対応するラインの１つを介して送信するために、サーバからのネイティブＫＶＭ信号を、中間フォーマットに転換する信号調整器と
を含むネットワークインターフェイスユニットを
含む、キーボード、ビデオ、マウス（ＫＶＭ）信号管理システム。
【請求項２】
前記ネットワークインターフェイスユニットが、
前記ネットワークポートと、選択された前記インターフェイスポートの１つとの間で、データをルーティングするスイッチングサブシステムと、
前記デジタル化されたＫＶＭ信号に対する前記信号調整器から受信した、中間フォーマットのネイティブＫＶＭ信号を翻訳するためのデジタル化サブシステムと
をさらに含む、請求項１に記載のシステム。
【請求項３】
前記信号調整器が、各前記サーバに設置されたドーターカードである、請求項１に記載のシステム。
【請求項４】
前記信号調整器が、それぞれのサーバに接続された外部信号調整デバイスである、請求項１に記載のシステム。
【請求項５】
前記信号調整器が、各前記サーバに設置されたコンピュータカードである、請求項１に記載のシステム。
【請求項６】
各対応するラインが、複数のワイヤを含む、請求項１に記載のシステム。
【請求項７】
前記複数のワイヤが、ＣＡＴ５形式である、請求項６に記載のシステム。
【請求項８】
各前記複数のワイヤが、複数のディファレンシャルペアを含む、請求項６に記載のシステム。
【請求項９】
少なくとも１つのスイッチであって、対応するラインを介して該スイッチに接続された複数のサーバの中の選択サーバの間で、キーボードおよびマウス信号を通信するために、少なくとも１つの前記インターフェイスポートに接続され、該スイッチに接続された各ラインは、複数のワイヤを含み、各該ワイヤは、複数のディファレンシャルペアを含み、各ディファレンシャルペアは、対応するダイオードのペアを含み、各該ダイオードのペアは、共通のディファレンシャルペアのスイッチされたワイヤバスに接続する、スイッチを含み、
該選択サーバからのＫＶＭ信号のビデオ信号は、該スイッチされたワイヤバスの制御下の該ダイオードペアの動作を介して、選択ラインへスイッチされる、請求項１に記載のシステム。
【請求項１０】
前記スイッチは、前記選択ライン以外の他のラインに関連したダイオードを逆に偏向させる一方で、該選択ラインに関連した前記ダイオードを介して電流を流すことによって、アクティブなビデオ信号のスイッチングを実行する、請求項９に記載のシステム。
【請求項１１】
各サーバは、ラックインターフェイスポッド（ＲＩＰ）を含み、該ＲＩＰは、キーボード（Ｋ）およびマウス（Ｍ）信号をエミュレートする、請求項１に記載のシステム。
【請求項１２】
各サーバは、ラックインターフェイスポッド（ＲＩＰ）を含み、該ＲＩＰは、キーボード（Ｋ）およびマウス（Ｍ）信号をエミュレートする、請求項９に記載のシステム。
【請求項１３】
前記ＲＩＰは、
Ｒ、Ｇ、Ｂビデオ信号を、それらそれぞれのコモンモード電圧信号の前後で、符号化する手段と、
該ビデオ信号によって生成される交流電流の累積がゼロになるように、Ｒ、Ｇ、Ｂビデオ信号を、それらのそれぞれのコモンモード信号の前後で、差動的に駆動する手段と、
該Ｒ、Ｇ、Ｂ信号を送信する手段とを含む、請求項１１に記載のシステム。
【請求項１４】
前記ＲＩＰは、
Ｒ、Ｇ、Ｂビデオ信号を、それらそれぞれのコモンモード電圧信号の前後で、符号化する手段と、
該ビデオ信号によって生成される交流電流の累積がゼロになるように、Ｒ、Ｇ、Ｂビデオ信号を、それらのそれぞれのコモンモード信号の前後で、差動的に駆動する手段と、
該Ｒ、Ｇ、Ｂ信号を送信する手段とを含む、請求項１２に記載のシステム。
【請求項１５】
前記スイッチは、
前記送信手段によって送信されるＲ、Ｇ、Ｂ信号を受信するための手段であって、該Ｒ、Ｇ、Ｂ信号は、選択インターフェイスポートを介して受信される、手段を含む、請求項９に記載のシステム。
【請求項１６】
前記ＲＩＰは、各サーバのビデオ信号を、選択インターフェイスポートを通過するイネーブルビデオ信号へスイッチする、請求項１２に記載のシステム。
【請求項１７】
前記ビデオ信号の選択的スイッチングは、該ビデオ信号のコモンモード電圧を変化させることによって実行される、請求項１６に記載のシステム。
【請求項１８】
キーボード、ビデオ、マウス（ＫＶＭ）信号管理システムにおいてビデオ信号をスイッチングする方法であって、該方法は、
複数のコモンモード電圧の前後で、複数のビデオ信号を差動的に符号化するステップと、
該ビデオ信号チャネルに、ダイオードのペアを組み込むステップであって、各該ダイオードのペアは、共通のディファレンシャルチャネルに接続され、該複数のビデオチャネルの間でスイッチするように制御される、ステップと、
該複数のビデオ信号チャネルの間から、選択ビデオ信号チャネルからのビデオ信号を選択するステップとを含む方法。
【請求項１９】
キーボード、ビデオ、マウス（ＫＶＭ）拡張システム内のビデオ同期信号Ｈｓｙｎｃ、Ｖｓｙｎｃを符号化する方法であって、該方法は、
Ｒ、Ｇ、Ｂビデオ信号を、それぞれのコモンモード電圧信号の前後で、差動的に符号化するステップであって、該コモンモード信号は、該ビデオ同期信号の組み合わせのコード化された関数を表わす、ステップと、
Ｒ、Ｇ、Ｂビデオ信号を、それらそれぞれのコモンモード信号を除去できるように、差動的に駆動するステップであって、その結果、
（ｉ）各該ディファレンシャルビデオ信号によって生成される交流は、実質的に正味ゼロであり、
（ｉｉ）符号化された同期信号によって生成される交流は、実質的に正味ゼロである、
ステップとを含む、方法。
【請求項２０】
ビデオ同期信号を表わす前記コモンモード電圧信号が、アナログディファレンシャル増幅器を介して除去される、請求項１９に記載の方法。
【請求項２１】
キーボード、ビデオ、マウス（ＫＶＭ）サーバ管理システム内のビデオ同期信号を符号化する方法であって、該方法は、
複数のサーバからＫＶＭ信号を受信するために、複数のインターフェイスポートを提供するステップであって、各インターフェイスポートは、ディファレンシャルビデオチャネルを含む、ステップと、
各ディファレンシャルビデオチャネルに対するスイッチングダイオードのペアを提供するステップと、
共通のディファレンシャルチャネルへ、異なるビデオチャネルを多重化するステップと、
Ｒ、Ｇ、Ｂビデオ信号を、各ディファレンシャルチャネルに対するそれらそれぞれのコモンモード信号の前後で、符号化するステップと、
Ｒ、Ｇ、Ｂビデオ信号とそれらそれぞれのコモンモード信号とを差動的に駆動するステップであって、該コモンモード信号は、ビデオ同期信号Ｈｓｙｎｃ、Ｖｓｙｎｃの関数をそれぞれ表わす、ステップと、
それぞれのディファレンシャルチャネルを有効もしくは無効にするために、それぞれ個々のディファレンシャルチャネルのコモンモード電圧を変化させ、かつ、該スイッチングダイオードを前方に偏向するか、または、逆に偏向することによって、個々のディファレンシャルビデオチャネルをスイッチングするステップと、
該ビデオ信号からコモンモード信号を除去し、元のビデオ同期信号を抽出するように、該Ｒ、Ｇ、Ｂビデオ信号を受信する終端で、コモンモードおよびディファレンシャルモードの終端処理の両方を提供するステップとを含む、方法。
【請求項２２】
アナログロングインターコネクトによって提供されるＫＶＭ信号を、ネットワークサーバにインターフェイスさせる方法であって、該方法は、
それぞれのコモンモード信号で符号化されたビデオ同期を有するＲ、Ｇ、Ｂビデオチャネル信号を差動的に駆動するステップと、
拡張されたケーブル配線におけるＲ、Ｇ、Ｂチャネル信号上の伝送損失のための訂正周波数補正を提供するステップと、
複数のケーブル配線拡張の間を多重化するステップと、
ネットワークインターフェイスを介して、リモートユーザに、該Ｒ、Ｇ、Ｂチャネル信号を転送するステップとを含む、方法。
【請求項２３】
複数のネットワークインターフェイスであって、各インターフェイスは、ＫＶＭ信号を、リモートユーザワークステーションへ伝達するためのネットワークポートを有し、各該ユーザワークステーションは、通信するように、対応するネットワークポートを介して、ＫＶＭ信号を、複数のネットワークサーバへ伝達するために、該ネットワークに接続された、複数のネットワークインターフェイスと、
該リモートユーザワークステーションと、該複数のネットワークサーバの間からの選択ネットワークサーバとの間で、ＫＶＭ信号を伝達するためのスイッチとを含む、
キーボード、ビデオ、マウス（ＫＶＭ）サーバ管理システム。
【請求項２４】
キーボード、ビデオ、マウス（ＫＶＭ）サーバ管理システム内のビデオ同期信号を符号化する方法であって、該方法は、
複数のサーバから、ＫＶＭ信号を受信するために、複数のインターフェイスポートを提供するステップと、
各サーバインターフェイスポートに、各ディファレンシャルビデオチャネルに対するスイッチングダイオードのペアを提供するステップと、
共通のディファレンシャルチャネルに、ディファレンシャルビデオチャネルを多重化するステップと、
Ｒ、Ｇ、Ｂビデオ信号を、各ディファレンシャルチャネルに対するそれらそれぞれのコモンモード信号の前後で、符号化するステップと、
Ｒ、Ｇ、Ｂビデオ信号とそれらそれぞれのコモンモード信号とを差動的に駆動するステップであって、該コモンモード信号は、ビデオ同期信号Ｈｓｙｎｃ、Ｖｓｙｎｃの関数をそれぞれ表わす、ステップと、
該それぞれのチャネルのコモンモード電圧を変化させることによって、ディファレンシャルチャネルをスイッチングするステップと、
受信する終端で、コモンモードおよびディファレンシャルモードの終端処理の両方を受信するステップと、を含む、方法。
【請求項２５】
前記スイッチングステップが、
それぞれ個々のチャネルを有効、もしくは、無効にするために、前記スイッチングダイオードを前方に偏向させる、または、逆に偏向させるステップをさらに含む、請求項２４に記載の方法。
【請求項２６】
前記ビデオ信号からコモンモード信号を除去するように、Ｒ、Ｇ、Ｂビデオ信号を提供するステップと、
元のビデオ同期信号を抽出するステップとをさらに含む、請求項２５に記載の方法。
【請求項２７】
キーボード、ビデオ、マウス（ＫＶＭ）サーバ管理システムのビデオ同期信号を符号化する方法であって、該方法は、
デジタル化されたＫＶＭ信号をリモートユーザワークステーションと伝達するために、ネットワークインターフェイスのネットワークポートを、通信するように、ネットワークに接続するステップと、
通信するように、対応するラインを介して、複数のインターフェイスポートを、対応する複数のサーバに接続するステップと、
該対応するラインの１つを介して送信するために、サーバからのネイティブＫＶＭ信号を、伝送用の中間フォーマットに変換するステップとを含む、方法。
【請求項２８】
対応するラインを介してスイッチに接続された複数のサーバの間の選択サーバの間で、キーボードおよびマウス信号を通信するために、少なくとも１つの前記インターフェイスポートに、少なくとも１つの該スイッチを通信するように接続するステップであって、該スイッチに接続された各ラインは、複数のワイヤを含み、各該ワイヤは、複数のディファレンシャルペアを含み、各ディファレンシャルペアは、対応するダイオードのペアを含み、各該ダイオードのペアは、共通のディファレンシャルペアのスイッチされたワイヤバスに接続される、ステップと、
該スイッチされたワイヤバスの制御下の該ダイオードペアの動作を介して、選択サーバからのＫＶＭ信号のビデオ信号を、選択ラインへスイッチするステップとをさらに含む、請求項２７に記載の方法。
【請求項２９】
ネットワークを介して、デジタル化されたＫＶＭ信号をリモートユーザワークステーションに伝達するために、該ネットワークと通信するように接続されたネットワークポートと、
対応するラインを介して、対応する複数のサーバに通信するように直接接続された複数のインターフェイスポートと、
該対応するラインの１つを介して送信するために、サーバからのネイティブＫＶＭ信号を、中間フォーマットに転換する信号調整器と、
少なくとも１つのスイッチであって、対応するラインを介して該スイッチに接続された複数のサーバの中の選択サーバの間で、キーボードおよびマウス信号を通信するために、少なくとも１つのインターフェイスポートに通信するように接続され、該スイッチに接続された各ラインは、複数のワイヤを含み、各該ワイヤは、単一のダイオードを含む、スイッチとを含むネットワークインターフェイスユニットを含み、
Ｒ、Ｇ、Ｂ信号は、該複数のサーバの間でサーバを選択するために、Ｒ、Ｇ、Ｂカラーコンポーネントの１つのシンクオングリーン符号化を利用して、それらそれぞれのコモンモード電圧信号の前後で符号化される、キーボード、ビデオ、マウス（ＫＶＭ）サーバ管理システム。
【請求項３０】
キーボード、ビデオ、マウス（ＫＶＭ）サーバ管理システムのビデオ同期信号を符号化する方法であって、該方法は、
デジタル化されたＫＶＭ信号をリモートユーザに伝達するために、ネットワークインターフェイスのネットワークポートを、通信するように、ネットワークに接続するステップと、
通信するように、対応するラインを介して、複数のインターフェイスポートを、対応する複数のサーバに接続するステップと、
該対応するラインの１つを介して送信するために、サーバからのネイティブＫＶＭ信号を、伝送用の中間フォーマットに変換するステップと、
対応するラインを介してスイッチに接続された複数のサーバの中の選択サーバの間で、キーボードおよびマウス信号を通信するために、少なくとも１つの該スイッチを、少なくとも１つのインターフェイスポートに通信するように接続するステップであって、該スイッチに接続された各ラインは、複数のワイヤを含み、各該ワイヤは、単一のダイオードを含む、ステップと、
Ｒ、Ｇ、Ｂ信号を、該複数のサーバの間でサーバを選択するために、シンクオングリーン符号化を利用して、それらそれぞれのコモンモード電圧信号の前後で符号化するステップとを含む、方法。
【請求項３１】
ネットワークを介して、デジタル化されたＫＶＭ信号をリモートユーザワークステーションに伝達するために、該ネットワークと通信するように接続されたネットワークポートと、
コミュニケーションリンクを介して、通信するようにサーバに接続するインターフェイスポートと、
該コミュニケーションリンクを介して送信するために、サーバからのネイティブＫＶＭ信号を、中間フォーマットに転換する信号調整器と
を含むネットワークインターフェイスユニットを含む、キーボード、ビデオ、マウス（ＫＶＭ）サーバ拡張システム。
【請求項３２】
複数のコモンモード電圧の前後で、対応する複数の差動的に符号化されたビデオ信号を出力するサーバブレードを受信するための、複数のサーバブレードバックプレーンスロットと、
該バックプレーンスロットにおける該複数のサーバブレードが、通常、接続し、通信するバックプレーンであって、該バックプレーンは、各該ブレードが、該複数の差動的に符号化されたビデオ信号の間のスイッチングを制御するために、ダイオードのペアを含む、ブレードと、
該ダイオードによってスイッチされた該差動的に符号化されたビデオ信号を受信するために、該バックプレーンと通信する少なくとも１つの受信器とを含む、ビデオ信号スイッチ。
【請求項３３】
前記受信器が、該バックプレーンに物理的に接続される、請求項３２に記載のスイッチ。
【発明の詳細な説明】
【技術分野】
【０００１】
（先行仮出願への優先権）
優先権は、２００１年３月２９日に出願された、係属中の、シリアルナンバー第６０／２７９，４６１号の仮出願に対して主張される。
【０００２】
本発明は、リモートコンピュータシステムにおけるユーザ機能と管理機能とを接続し、実行する方法に関する。より具体的には、本発明は、受動ビデオ多重化拡張システムと、それらのリモートコンピュータへのユーザおよびアドミニストレータによるアクセスに基づくネットワークのための手法とに関する。
【背景技術】
【０００３】
典型的なコンピュータネットワークには、多くのクライアントコンピュータが存在し、いくつかのネットワークサーバリソースへのコミュニケーションリンクを介して接続されている。これらのリソースは、例えば、ファイルサーバ、プリントサーバ、モデムサーバ、および、ＣＤ  ＲＯＭサーバを含む。各サーバは、通常、独自のキーボード、ビデオ、および、マウスモニター（ＫＶＭ）を有するスタンドアローンコンピュータである。各クライアントコンピュータは、それぞれのコミュニケーションリンクを介して、サーバコンピュータによって提供される機能を利用する。
【０００４】
いくつかのコンピュータアプリケーションでは、一人以上のユーザを、１つ以上のコンピュータに接続することが望ましい。ユーザとコンピュータが異なる位置にあるときにも、時には、一人以上のユーザを、１つ以上のコンピュータに接続することが望ましい。例えば、ユーザは、ＫＶＭスイッチのような周辺スイッチを介して、離れた場所に位置するいくつかのコンピュータから、情報にアクセスすることをますます望むようになった。そうした場合、ユーザは、ある１つの位置にいたままにして、周辺スイッチを用いて、いくつかのコンピュータの１つと、選択的に接続することができる。また、周辺スイッチを利用して、幾人かのユーザを、複数のリモートコンピュータと選択的に接続することも可能である。
【０００５】
リモートコンピュータによって生成されるビデオ信号は、定期的に、ＫＶＭ（キーボード、マウス、ビデオ）拡張装置を介して、リモートユーザへ送信される。１つのアプローチでは、リモートコンピュータ／サーバとリモートユーザ位置との間に伸びるワイヤの数を最小化するために、水平同期信号および垂直同期信号とモード信号とは、アナログビデオ信号に符号化される。
【０００６】
他のアプローチでは、専用コミュニケーションチャネルが、周辺スイッチに接続するための手段として機能するように、リモートサイトから提供される。専用コミュニケーションチャネルは、制御および状態機能のために、ローカル周辺機器として、同じプロプライアティ（ｐｒｏｐｒｉｅｔｙ）プロトコル言語を利用し得る。セキュリティ特性もまた、リモートサイトから制御されてもよい。さらに別のアプローチでは、リモート周辺接続を提供する方法は、ローカルエリアネットワーク（ＬＡＮ）を利用する。
【０００７】
ＫＶＭスイッチおよび拡張機器は、公知のデバイスであり、産業上利用可能である。これらＫＶＭスイッチの例は、Ａｌａｂａｍａ州ＨｕｎｔｓｖｉｌｌｅのＡｖｏｃｅｎｔ  Ｃｏｒｐｏｒａｔｉｏｎによって、Ａｕｔｏｖｉｅｗ系製品およびＸＰ系製品として市販されている。Ａｖｏｃｅｎｔ  Ｃｏｒｐｏｒａｔｉｏｎはまた、ＯｕｔｌｏｏｋおよびＶｉｅｗＰｏｉｎｔの名の下に、ＫＶＭスイッチも販売している。ＫＶＭスイッチ１２は、図１の実施形態において、多くの機能を提供する。まず、サーバ１３がブートアップされると、ＫＶＭスイッチ１２は、キーボード、ビデオ、および、マウス開始コマンドをエミュレートし、その結果、各サーバ１３は、単一のキーボード、ビデオ、および、マウスワークステーションが実際に接続されていると信じる。ＫＶＭスイッチは、例えば、キーボード／マウスに対してＳｕｎおよびＰＳ２など、ビデオに対してＶＧＡ、ＳＶＧＡなどのような様々なＫＶＭ規格の任意のナンバーのいずれかに合わせて、キーボード、ビデオ、および、マウス開始コマンドをエミュレートするようにプログラムされている。さらに、ＫＶＭスイッチ１２は、ワークステーションの要求（例えば、マウスのタイプ、モニタのタイプ、キーボードのタイプ）をポーリングし、サーバ１３と通信するために、その他の不整合なキーボード、ビデオ、およびマウスデバイスに対して必要となるデータのやり取りを提供する。
【０００８】
膨大な数のコンピュータの導入に伴い、ネットワークオペレータが何千ものコンピュータにアクセスするための必要性は、緊急のものとなった。もちろん、少数のワークステーションに結合されるべきコンピュータの数の増加に適応するために、ＫＶＭスイッチは、スイッチの数の増加によって、規模拡張し得る。しかし、規模拡張されたＫＶＭスイッチの数は、大きなサーバエリアにおいてでさえも、空間の問題を考慮することになる。
【０００９】
さらに図１を参照して、例示的なＫＶＭスイッチシステムは図１に示され、一般に、１０に示される。複数のサーバ１３は、１２に示されるＫＶＭスイッチに接続される。１１のユーザは、ＫＶＭスイッチ１２を介して、各サーバ１３を制御することができる。スイッチングシステム１０によって使用されるサーバおよび通信プロトコルの操作は、周知であり、従って、明確にするためにここで繰り返さない。多くの異なるプロトコルが、サーバ１３がスイッチングシステム１０と通信するために利用され得、多くのプロトコルが、将来的に、ネットワーク上のデータトラベルの効率と、サーバ１３による網羅性との効率を増加させるために開発されることが理解される。本発明は、任意の特定のプロトコルに限定されない。
【００１０】
図２〜５は、かさばったケーブル配線を排除するための様々な従来のアプローチを示す。具体的には、図２は、ＫＶＭスイッチ環境におけるラックレベルのサーバアクセスを示す。図３は、ラックタイプ環境においてかさばった面倒なケーブル配線を排除する、３０に示されるようなアプローチを示す。ここで、ＫＶＭスイッチデイジーチェーンのアプローチを示す。このアプローチは、例えば、数字３３によって識別されるような、内部ＰＣＩスイッチングカードが挿入される複数のラックを含む。各ＰＣＩスイッチングカードは、それぞれのラック３３の内部に位置する。各ＰＣＩカードは、さらに、リモートユーザ３１へ、ＣＡＴ５ケーブルによるデイジーチェーン方式で、相互接続される。各ラック３３は、サーバを含む。図３に示される構成は、最長１１０メートルまで可能であると判断される。また、システム３０は、ラック３３に配置される各サーバに対する単一のＰＣＩスロットを占有するので、ラック内の１つのサーバに関する障害が、システム上のいくらか、もしくは、全てのサーバへのアクセスを無効にする。さらに、システム３０は、一人のオペレータが一度に全てのサーバに到達できるようにし、企業の広範なソリューションに対する拡張のさらなる制限となる。
【００１１】
図５（図４の一部分を引き伸ばしたものである）に関連して、ケーブルのかたまりを排除する別の方法が示される。しかし、図４および５に示されるシステムは、特定のマシンとともに作動する。図に示されるプロプライアティ（ｐｒｏｐｒｉｅｔｙ）ケーブルは、特定の長さになる。従って、ケーブルは、ラック内の任意のコンピュータにサービスを提供するように構成されなくてはならない。従来のアプローチによると、任意の信号障害は、いくらか、または、全てのネットワークサービスへのアクセスを無効にする。さらに、このアプローチは、一度に１人のオペレータのみが、ネットワークサービスへ到達するように、助長される。
【００１２】
従来のシステムにおいて利用される受動拡張スキームは、キーボード（Ｋ）およびマウス（Ｍ）情報との関連で、約２０ｆｔの距離を越えると、作用し得ない。この距離を越えると、ＫおよびＭ信号のためのワイヤ拡張は、ケーブル容量によって引き起こされる不十分な信号上昇時間のために、問題となる。さらに、各ワイヤ接続が必要とされる接続毎に提供される場合、受動ケーブル配線システムは、かさばる。
【００１３】
システムアドミニストレータが中央位置からネットワークを操作するために、専用コミュニケーションリンクを各サーバコンピュータに取り付けることも可能であるが、非常に単純なネットワーク以外の任意のネットワークに対しては、膨大な数のケーブルが必要となり得る。
【発明の開示】
【発明が解決しようとする課題】
【００１４】
従って、従来のシステムによって衝突する問題を乗り越えるために、ＫＶＭ拡張システム内のビデオ同期信号の符号化のための受動ビデオ多重化方法および装置が、提案される。
【課題を解決するための手段】
【００１５】
本発明において、サーバコンピュータからのビデオ信号を受信し、それらの信号をローカルエリアネットワーク（ＬＡＮ）、好ましくは、イーサネット（Ｒ）ＬＡＮを介してリモートユーザに提供するために、ラックインターフェイスポッド（ＲＩＰ）が提供される。ＲＩＰから受信するアナログ信号は、アボセント（Ａｖｏｃｅｎｔ）ラックインターコネクト（ＡＲＩ）ポートを介して、ビデオプロセッシングロジック、監視プロセッサ、ＫＶＭスイッチシステム、および、イーサネット（Ｒ）インターフェイス回路を含むラックコネクションマネージャ（ＲＣＭ）に伝送される。複数のＡＲＩシステムは、ＲＣＭに接続され、複数のネットワークサーバは、リモートユーザによって制御されることが意図されており、それぞれのワイヤリングストリップ、または、ポッドエクステンションモジュール（ＰＥＭ）によって各ＡＲＩに接続される。イーサネット（Ｒ）ＬＡＮに接続されたリモートユーザは、ＰＥＭを介して、複数のネットワークサーバの間から、特定のネットワークサーバを選択する能力を有する。リモートユーザはまた、ＲＣＭのＡＲＩポートに直接接続される特定のネットワークサーバを選択することもできる。ＲＣＭ（以下に「ＲＣＭプロセッサ」または「デジタル化サブシステム」）内に位置する回路は、選択されたネットワークサーバからのＫＶＭ信号をデジタル化し、そのデジタル信号を、イーサネット（Ｒ）ＬＡＮを介して、リモートユーザに伝送する。同様に、リモートユーザのＫおよびＭストロークは、イーサネット（Ｒ）ＬＡＮを介して、ＲＣＭプロセッサへ送られる。ＲＣＭプロセッサは、ネットワークサーバがＰＥＭに接続されている場合には、続いて、ＡＲＩおよびＰＥＭを介して、選択されたネットワークサーバへその信号を送る。リモートユーザのＫおよびＭストロークは、ＡＲＩポートを介して、ＡＲＩポートに直接接続されたネットワークサーバへ、送られる。
【００１６】
各ラックインターフェイスポッド（ＲＩＰ）は、それぞれのネットワークサーバに対して、ＫおよびＭ信号をエミュレートするプロセッサを含む。各ＲＩＰは、さらに、ネットワークサーバのビデオ信号が、ＰＥＭを介して、ＲＣＭへ送られるスイッチングのためのメカニズムを提供する。このビデオ信号をスイッチングする方法は、コモンモード（ＣＭ）電圧の前後で、それぞれのネットワークサーバからの差動的なＲ、Ｇ、Ｂビデオ信号を符号化することによって、実行される。具体的には、コモンモード電圧は、ネットワークサーバからアクティブなビデオ信号経路を選択するために、上がるか下がるかする。個々（ＰＥＭ）は、さらに、本質的に二極多投ダイオードスイッチングシステムを形成する、共通のスイッチされたディファレンシャルビデオチャネルへの各接続のために、ディファレンシャルビデオチャネルあたりにスイッチングダイオードのペアを含む。受信するバスの終端において、コモンモードおよびディファレンシャルモード伝送の両方を提供することによって、各ビデオ信号チャネルは、各ネットワークサービスに関連するコモンモード電圧を変化させることにより、スイッチがオン／オフされてもよい。それによって、それらのチャネルに関連するスイッチングダイオードを、前方に偏向させるか、逆に偏向させるかのどちらかである。ネットワークサーバが選択されない場合、その特定のサーバのビデオソースは、ＰＥＭに対して、ＲＩＰにおいてスイッチをオフにし、（ＰＥＭ）およびＲＣＭにおいて逆に偏向されたダイオードによって、任意の静電結合を排除する。
【００１７】
本発明において、アナログロングインターコネクトポートは、ワークステーションに基づくネットワークか、アナログインターネットプロトコルビデオ（ＩＶＰ）モジュールを介した直接周辺結合によるネットワークのどちらかを介して、リモートユーザによるアクセスを提供する。
【００１８】
本発明の好ましい実施形態において、任意の数のユーザが、イーサネット（Ｒ）ＬＡＮ上で通信し得、任意の数のサーバが、任意のユーザによってアクセスされ得る。好ましい実施形態は、各ユーザが、任意の関連するサーバへのコンソールアクセスを達成できるようにする一方で、無制限のスケーラビリティを提供する。
【００１９】
１つの局面では、本発明は、キーボード、ビデオ、マウス（ＫＶＭ）サーバ管理システムを提案する。本発明のサーバ管理システムは、ＫＶＭ信号を複数のリモートユーザワークステーションに伝達するネットワークポートを有する、複数のネットワークインターフェイスを含む。リモートユーザワークステーションは、ネットワークに逆に接続され、キーボードおよびマウス（Ｋ，Ｍ）信号を、それらに対応するネットワークポートを介して、複数のサーバと接続させる。ＫＶＭサーバ管理システムは、リモートユーザワークステーションと、複数のネットワークサーバの間からの選択ネットワークサーバとの間で、ＫＶＭ信号を通信させるためのスイッチを、さらに含む。
【００２０】
別の局面では、本発明は、キーボード、ビデオ、マウス（ＫＶＭ）サーバ管理システムにおいてビデオ信号をスイッチングする方法を提供する。前記方法は、複数のコモンモード電圧の前後で、複数のネットワークサーバからの複数のビデオ信号チャネルを、差動的に符号化するステップと、各ビデオ信号チャネルにおけるダイオードのペアを組み合わせるステップであって、各ダイオードのペアは、共通のディファレンシャルチャネルに接続され、複数のビデオ信号チャネルの間でのスイッチするために制御される、ステップと、複数のネットワークサーバの間から、選択ネットワークサーバからのビデオ信号を選択するステップとを含む。
【００２１】
別の局面では、本発明は、キーボード、ビデオ、マウス（ＫＶＭ）拡張システム内のビデオ同期信号Ｈｓｙｎｃ、Ｖｓｙｎｃを符号化する方法を提供する。前記方法は、Ｒ、Ｇ、Ｂビデオ信号をそれぞれのコモンモード電圧信号の前後で、差動的に符号化するステップであって、該コモンモード信号が、ビデオ同期信号の組み合わせの符号化された関数を表わす、ステップと、Ｒ、Ｇ、Ｂビデオ信号を差動的に駆動するするステップであって、それらのそれぞれのコモンモード信号を除去できるようにし、その結果、（ｉ）各ディファレンシャルビデオ信号によって生成される交流は、正味ゼロであり、（ｉｉ）符号化された同期信号によって生成される交流は、正味ゼロである、ステップとを含む。
【００２２】
さらなる別の局面では、本発明は、キーボード、ビデオ、マウス（ＫＶＭ）サーバ管理システム内のビデオ同期信号を符号化する方法を提供する。前記方法は、複数のサーバからＫＶＭ信号を受信するための複数のインターフェイスポートを提供するステップであって、各インターフェイスポートは、ディファレンシャルビデオチャネルを含む、ステップと、各ディファレンシャルビデオチャネルに対するスイッチングダイオードのペアを提供するステップと、異なるビデオチャネルを、共通のディファレンシャルモードに多重化するステップと、各ディファレンシャルチャネルに対するそれらのそれぞれのコモンモード信号の前後で、Ｒ、Ｇ、Ｂビデオ信号を符号化するステップと、Ｒ、Ｇ、Ｂビデオ信号およびそれらのそれぞれのコモンモード信号を差動的に駆動するステップであって、コモンモード信号が、ビデオ同期信号Ｈｓｙｎｃ、Ｖｓｙｎｃそれぞれの関数を表わす、ステップと、それぞれ各ディファレンシャルチャネルのコモンモード電圧を変化させ、かつ、それぞれのディファレンシャルチャネルを有効にするか、もしくは、無効にするために、前方または逆にスイッチングダイオードを偏向させることによって、各ディファレンシャルビデオチャネルをスイッチングするステップと、コモンモード信号を、ビデオ信号から除去し、かつ、オリジナルビデオ同期信号を抽出するように、Ｒ、Ｇ、Ｂビデオ信号を受信する終端で、コモンモードおよびディファレンシャルモードの終端処理の両方を提供するステップとを含む。
【００２３】
別の実施形態では、本発明は、ネットワークインターフェイスユニットと、サーバからのネイティブＫＶＭ信号を、対応するラインを介して伝送するための中間フォーマットに変換する少なくとも１つのスイッチと、対応するラインを介してスイッチに接続された複数のサーバの間の選択サーバの間を、ＫおよびＭ信号を通信させるための少なくとも１つのインターフェイスポートとを有するＫＶＭサーバ管理システムに関する。各ラインは、複数のワイヤを含み、各ワイヤは、１つのダイオードを含む。ここで、Ｒ、Ｇ、Ｂ信号は、複数のサーバの間からあるサーバを選択するために、カラーコンポーネントの１つに基づくシンクオングリーン符号化を利用して、それらのそれぞれのコモンモード電圧信号の前後で符号化される。
【００２４】
最後に、本発明は、アナログロングインターコネクト（ＡＬＩ）によって提供されるＫＶＭ信号とインターフェイスするステップであって、すなわち、各コモンモード信号で符号化されたビデオ同期を有する差動的に駆動されたＲ、Ｇ、Ｂビデオと、拡張された距離バージョンのＫＶＭチャネルとがインターフェイスするステップと、拡張されたケーブル配線におけるＲ、Ｇ、Ｂチャネル信号上の伝送損失のための訂正周波数補正を提供するステップとの方法を、従来技術で述べられるように、提供する。さらに、本発明は、複数のケーブル配線拡張の間を多重化するステップと、ネットワークインターフェイスを介して、リモートユーザにインターフェイスするステップとを含む。
（発明の詳細な説明）
ここで図１２を参照すると、本発明の受動ビデオ多重化および拡張システムの概略の表現が示される。システム１００は、リモートユーザ１１２が通信するように接続された企業ＬＡＮ１１０を含む。好ましい実施形態では、企業ＬＡＮは、広域エリアネットワーク（ＷＡＮ）、すなわち、例えば、インターネット、もしくは、任意のほかのネットワークタイプのようなパケット交換ネットワークであり得る。本発明は、リモートユーザ１１２がＬＡＮ１１０を介してサーバ１２２と通信し得るような２つの経路を提供する。１つの経路は、ＬＡＮ１１０を介して、ＲＣＭ１１６およびさらにサーバ１２２へつながるインターネットプロトコルビデオ（ＩＰＶ）モジュール１１４である。１つの実施形態では、ネットワークサーバ１２２は、ＲＣＭ１１６へ直接接続されてもよい。別の実施形態では、ネットワークサーバ１２２は、ＰＥＭ１２０を介して接続される。２番目の経路は、直接、ＬＡＮ１１０から、ＲＣＭ１１６とさらにサーバ１２２への経路である。
【００２５】
インターネットプロトコルビデオ（ＩＰＶ）モジュール１１４を介して通信する場合、リモートユーザ１１２によって生成されたキーボードおよびマウス（ＫＭ）信号は、ＩＰＶモジュール１１４で受信される。簡単のために、単一のＩＰＶモジュールおよび単一のリモートユーザが示されるが、本発明の範囲では、それらの数はもっと多くてもよい。ＩＰＶモジュール１１４は、さらに、複数の入力ポート１１３と、ＫＶＭローカルアクセスポート１１１とを含む。ＩＰＶモジュール１１４の各入力ポートは、ラックコネクションマネージャ（ＲＣＭ）１１６、または、アボセントロングラインインターコネクト（ＡＬＩ）送信器（示されない）に接続されてもよい。ＲＣＭ１１６は、図１６に示されるようなビデオ受信回路を含む。図１２の例示的な実施形態では、２つのＲＣＭ１１６、１１６ａのみが、ＩＰＶ１１４に接続されるように示されている。実際は、各ＩＰＶは、最大総数８つのＲＣＭまでの接続を提供することができる。
【００２６】
各ＲＣＭ１１６は、ＫＶＭローカルアクセスポート１１５、アボセントロングインターコネクト（ＡＬＩ）ポート１１８、ＬＡＮポート１１９、および、複数の入力ポート１１７を含む。各入力ポート１１７は、ＰＥＭ１２０、または、サーバ１２２へ接続することができる。複数のネットワークサーバ１２２は、ＰＥＭワイヤリングストリップ１２０のそれぞれのポートへ接続され得る。ワイヤリングストリップ１２０の各ポートは、図１５に示されるようなディファレンシャルダイオード１５１、１５２の複数のペアを有するスイッチング回路１５０を含む。図１２の例示的な実施形態では、各ワイヤリングストリップ１２０は、９つのポート（１２０１〜１２０９）を含むように示される。ポート１２０１〜１２０８からの信号は、ポート１２０９において結集し、ＲＣＭ１１６内に組み込まれた受信回路（図１６）へ転送される。
【００２７】
図１３を参照すると、各ネットワークサーバ１２２は、ラックインターコネクトカード（ＲＩＣ）インターフェイスカード９０を含み、本明細書においては、図８において示されるようなＲＩＣ／ドーターカードを参照として援用する。各ネットワークサーバ１２２はまた、ネットワークサーバ１２２からのビデオ信号を受信し、そのビデオ信号を、ローカルエリアネットワーク（ＬＡＮ）（好ましくは、イーサネット（Ｒ）ＬＡＮ）を介して、リモートユーザに伝達するために、ＲＩＰ７０（図７）を含んでもよい。ＲＩＰ内の回路の詳細は、本明細書中で、図１４に関連して説明される。ＲＩＣ９０は、ＫＶＭビデオ信号をリモートユーザ１１２に送信するための送信回路（図１８）を含む。例えば、巨視的に観ると、リモートユーザ１１２からネットワークサーバ１２２へ情報を伝達するためのシステムは、リモートユーザからの信号を受信するために、ＬＡＮ１１０に接続するＩＰＶモジュール１１４を含む。ＲＣＭ１１６は、ＩＰＶ１１４に接続し、ワイヤリングストリップ１２０は、ＲＣＭ１１６と、それぞれのワイヤリングストリップ１２０に接続する複数のネットワークサーバとに接続する。ＩＰＶ１１４、ＲＣＭ１１６、および、ワイヤリングストリップ１２０は、リモートユーザ１１２およびネットワークサーバ１２２の中間の媒体として作用する。
【００２８】
動作では、ＩＰＶ１１４は、ＬＡＮ１１０を介して、リモートユーザ１１２から、ＫＭ信号を受信し、アボセントロングラインインターコネクト（ＡＬＩ）１１３を介して、ＲＣＭ１１６から、ＫＶＭ信号を受信する。ＩＰＶ１１４によって受信されたＡＬＩ、ＫＶＭ信号は、ＲＣＭに設置されたプロセッサ（以下では「ＲＣＭプロセッサ」）（９２）によって、ＲＣＭにおいて処理されたものである。リモートユーザ１１２は、複数のＲＣＭ入力ポート１１７に接続された複数のワイヤリングストリップ１２０を介して、複数のネットワークサーバ１２２の間で、特定のネットワークサーバを選択することができる。ＲＣＭプロセッサ９２は、選択的に、ネットワークサーバ１２２から送信されるビデオ信号を処理し、ＡＬＩポート１１８、ＩＰＶ１１４、および、ＬＡＮ１１０を介してリモートユーザに信号を送信する。同様に、リモートユーザのＫおよびＭストロークは、ＬＡＮ１１０を介してＩＰＶ１１４へ、次に、ＡＬＩ１１８を介してＲＣＭ１１６プロセッサへ、送られる。ＲＣＭプロセッサ１１６は、続いて、ワイヤリングストリップ１２０へプラグ接続されたそれぞれのネットワークサーバへ信号を転送するために、信号を処理する。各ネットワークサーバ１２２に設置されたＲＩＣ９０は、それぞれのネットワークサーバに対して、ＫおよびＭ信号をエミュレートする。ＲＩＣ９０は、さらに、コモンモード電圧の前後で、それぞれのネットワークサーバ１２２からのＲ、Ｇ、Ｂ信号を符号化することによって、ビデオ信号をスイッチする能力を有する。コモンモード電圧は、ネットワークサーバ１２２からのビデオ信号を選択するために、上がるか下がるかする。
【００２９】
別の実施形態では、ユーザ１１２とサーバ１２２との間の通信は、ＡＶＩ１１４をバイパスし、ＬＡＮ１１０およびＲＣＭ１１６を介して、実行される。しかし、本発明の動作は、ＡＶＩ１１４を有する実施形態の動作に類似する。
【００３０】
本発明の実施形態は、サーバ１２２へＲＩＣを組み込むか、または、上述のように、サーバ１２２のＫＶＭコネクタに、外部的にＲＩＰを接続することによって、等しく実施可能である。
【００３１】
ビデオオン、および、ビデオオフ信号を作動させるためのコモンモード信号方法は、ＨおよびＶ同期コーディング方法論の拡張である。図１２に示されるシステムがどのように動作するかを示すために、以下に様々な回路図が説明される。ＲＣＭは、ワイヤリングストリップ１２０を介して選択された様々なサーバ（各々が図７〜９に示されるようなＲＩＣ／ＲＩＰを有する。）からの（ＫＶＭ信号）を検知し、デジタル化するプロセッサ９２を含む。ＲＣＭ１１６に存在するスイッチは、ＡＩ入力１１７に接続された複数のＲＩＣ／ＲＩＰおよびＰＥＭ信号の間からのどのビデオ信号をデジタル化し、イーサネット（Ｒ）ＬＡＮ１１０を介してリモートユーザ１１２に送るべきかを、選択する。同様に、リモートユーザのＫ、Ｍストロークは、イーサネット（Ｒ）ＬＡＮ１１０を介して、ＲＣＭプロセッサ９２へ送られる。ＲＣＭプロセッサ９２は、ワイヤリングストリップ１２０にプラグ接続されたサーバ１２２へ、その信号を送信する。ＲＣＭプロセッサ９２はまた、Ｋ、Ｍストロークを、ワイヤリングストリップ１２０を通過することなしに、直接サーバ１２２へ伝達させてもよい。ＲＩＣ／ＲＩＰ９０、７０は、それらがインターフェイスするそれぞれのサーバに対して、それぞれ、ＫおよびＭ信号をエミュレートする。ＲＩＣ／ＲＩＰ９０、７０は、さらに、どのサーバのビデオが、ワイヤリングストリップを介して、ＲＣＭへ送られるかをスイッチングするためのメカニズムを提供する。これは、ビデオにおけるコモンモード（ＣＭ）電圧を、上げるか下げるかすることによって達成される。ある特定のサーバが選択されない場合、その特定のサーバは、ＲＣＭへ順方向に結合すること（ｆｏｒｗａｒｄ  ｃｏｕｐｌｉｎｇ）によって、そのビデオソースのビデオ情報部分を、オフにする。その結果、ワイヤリングストリップ（ＰＥＭ）１２０に存在する寄生性の静電結合（ｐａｒａｓｉｔｉｃ  ｃａｐａｃｉｔｉｖｅ  ｃｏｕｐｌｉｎｇ）が原因となって、干渉は誘発されず、それによって、ビデオノイズを排除される。
【００３２】
上述のように、ネットワークサーバＲＩＰは、ＲＣＭシステムＡＩ入力に、直接接続されてもよい。サーバ自体をＲＣＭ入力に接続する目的は、例えば、それぞれのサーバの重要性、接続されたサーバへのアクセスをブロックするかブロックしないかの必要性、および、ユーザによって決定されるような特定のサーバに対する所望のアクセサビリティの程度に基づく。
【００３３】
ワイヤリングストリップは、短距離イントラ／インターラックシングル（ｓｈｏｒｔ  ｈａｕｌ  ｉｎｔｒａ／ｉｎｔｅｒ  ｒａｃｋ  ｓｉｎｇｌｅ）カテゴリー５（ＣＡＴ５）ケーブルＫＶＭ接続インターフェイスを定義する。このインターフェイスは、以下のように、４つのカテゴリー５（ＣＡＴ５）ワイヤペアにおいて実装される。
Ｒｅｄ  Ｏｕｔ  ＋
Ｒｅｄ  Ｏｕｔ  −
Ｇｒｅｅｎ  Ｏｕｔ  ＋
Ｇｒｅｅｎ  Ｏｕｔ  −
Ｂｌｕｅ  Ｏｕｔ  ＋
Ｂｌｕｅ  Ｏｕｔ  −
Ｃｏｍｍａｎｄ  ＋
Ｒｅｔｕｒｎ
コマンドワイヤは、ＲＣＭとＲＩＣ／ＲＩＰとの間の半二重、マルチドロップ、非同期性のデータ接続である。この接続は、所与のＲＣＭ  ＡＩポートにおいて、アクティブなＲＩＰまたはＲＩＣを制御し、ＲＣＭとアクティブなＲＩＰとの間を、キーボード（Ｋ）およびマウス（Ｍ）情報を送って、利用される。さらに、この経路は、ＲＩＰソフトウェアのアップグレードをも支持する。
【００３４】
ここで、図６を参照すると、本発明の実施形態に応じた、ラックインターコネクトシステム／ワイヤリングストリップ１２０が示される。このシステム１２０は、仮想的に無制限な数の単一のラック内のコンピュータとの接続を提供するために、拡張されてもよい。このシステムは、さらに、アナログＫＶＭに対して、単一のＣＡＴ５相互接続を提供する。ワイヤリングストリップ１２０は、８つのラックインターコネクション入力１２０１〜１２０８と、出力１２０９を含む。ワイヤリングストリップ１２０は、ＫＶＭスイッチ、サーバ、および、別のワイヤリングストリップとインターフェイスすることができる。
【００３５】
ここで、図１０を参照すると、複数のインターコネクト入力１１７、ローカルアクセスのためのＫＶＭポート１１５、ＡＬＩポート１１８、および、１００ｂａｓｅ−Ｔイーサネット（Ｒ）ＬＡＮポート１１９を有する、図１２に示されるような、例示的なラックコネクションマネージャ（ＲＣＭ）１１６が示される。ポート１１９は、サーバ１２２へのサーバコンソールアクセスか、もしくは、ＲＣＭへの管理およびメンテナンス情報の通信のためか、または、ＲＣＭおよびＲＩＣ／ＲＩＰソフトウェアをアップデートするために、リモートユーザ１１２によって利用され得る。上述したように、ＲＣＭ１１６は、ＲＣＭプロセッサと、マトリクススイッチ／スイッチングサブシステム９４とを含む。ＲＣＭ１１６は、干渉なく、ＬＡＮ１１０を介して、多重式同時式ユーザへのアクセスを提供する。ワイヤリングストリップ１２０（図６）およびネットワークサーバ１２２は、ＲＩＣおよびＲＩＰ（図１３）を介して、任意の組み合わせで、ＲＣＭ１１６のＡＲＩ入力１１７に接続され得る。ＡＲＩ入力１１７の詳細は、図１６に関連して説明される。図１０Ａは、図１０で識別される、ＲＣＭの分解図を示す。
【００３６】
図１１に関連して、例示的なアナログＩＰビデオ（ＩＰＶ）モジュール１１４が示される。ＩＰＶモジュールは、ユーザ間の干渉なしに、多重式ユーザへのアクセスを提供する。ＩＰＶモジュールは、ＶＧＡ、ＰＳ−２キーボード、および、マウス接続を含む１つのローカルＫＶＭ入力ポート１１１を含む。ＩＰＶモジュールは、ポート１１３を介して、多重式同時式デジタルＫＶＭオーバーＩＰ接続をも支持する。ＩＰＶモジュール１１４は、さらに、ＩＰＶモジュールへの全ての入力に対して、単一のＬＡＮ  ＩＰ接続を提供し、例えば、ネットワークサーバ１２２の選択、サーバ１２２コンソール操作、および、ＩＰＶ構成および管理機能のようなアクションを支持する。ＩＰＶモジュール１１４は、さらに、最長３００メーターまでのＵＴＰランに対するＡＬＩ入力信号への歪み補正を提供する。
【００３７】
ここで図１３を参照すると、本発明の実施形態に従った、サーバ１２２の例示的な概略的なブロック図が示される。図１２に示される各サーバ１２２は、マザーボードおよびＲＩＣ９０を含む。他のコンポーネントは、簡単のために示されないが、サーバ１２２内に存在してもよい。サーバ１２２は、ラックインターコネクトＰＣＩカードを有する標準のＰＣであり得る。ラックインターコネクトＰＣＩカードは、サーバ１２２が、ＲＣＭおよびネットワーク１１０を介して、リモートユーザ１１２と通信するのを可能にする。ネットワーク１１０は、ＬＡＮまたは他のネットワークであり得、イーサネット（Ｒ）、ＩＰ／ＴＣＰＩＰ、または、他のデータプロトコルに、任意のプロトコルの制限なく準拠し得る。サーバ１２２は、ＲＩＣにおいて実行され、マザーボード１２４においてキーボードおよびマウスポートに接続される、キーボードおよびマウスのエミュレーションから、キーボードおよびマウス命令を受信する。さらに、マザーボード１２４からのビデオ、キーボード、および、マウス信号は、ＲＩＣ９０を介して、ＲＣＭ１１６へ送られる。
【００３８】
図７〜９は、サーバコンソールインターフェイスへのアクセスを達成するための様々な代替の実施形態を示す。図７は、サーバへの外部接続を提供するためのラックインターフェイスポッド（ＲＩＰ）を示す。図８は、サーバのマザーボードに直接備え付けられるように設計されたドーターカードを示す。ドーターカードは、サーバシステム内で利用可能なマザーボードメンテナンス信号の完全組み込みを提供する。図９は、サーバパワー制御へのアクセスおよび他のメンテナンス特性を提供することも可能なラックインターコネクトＰＣＩカード実施形態を示す。
【００３９】
図１４は、ＲＩＰ７０内部に存在する、様々なサブシステムの概略図１４０を示す。概略図１４０は、全てＲＩＰ７０内に設置された、それぞれのネットワークサーバ１２２からのビデオ（Ｖ）、キーボード（Ｋ）、および、マウス（Ｍ）信号を受信するための複数のインターフェイスポート、マイクロプロセッサ１４４、データリンクトランシーバサブシステム１３１、および、送信回路１３０を含む。プロセッサ１４４は、Ｖｂｉａｓ、Ｈｓｙｎｃ、および、Ｖｓｙｎｃ信号２０４、２０５、２０６を結合して、それぞれ、図２０に示されるようなコモンモード信号を生成するために、スイッチング機能を制御する。
【００４０】
図１５を参照して、例示的なスイッチング回路１５０が示される。スイッチング回路１５０は、共通のディファレンシャルペアのスイッチされたワイヤバスへの各接続のために、ディファレンシャルペアあたり、複数のダイオード１５１、１５２を有する。スイッチング回路１５０は、ワイヤリングストリップ１２０の各ポート内に設置され、ワイヤリングストリップ１２０の詳細は、図１２に関連して上述されたとおりである。受信するバスの終端で、コモンモードおよびディファレンシャルモードの終端処理の両方を提供することによって、個々のダイオード接続は、ネットワークサーバ１２２に関連したコモンモード電圧を変化させることにより、オン／オフされる。この形式では、ネットワークサーバ１２２からのビデオは、アクティブなスイッチングエレメントなしで、スイッチされる。むしろ、コモン電圧は、ネットワークサーバ１２２からのビデオ信号を選択するために、上がるか下がるかする。
【００４１】
別の実施形態では、シングルエンドペアに対して、コンポジットシンクオングリーン符号化技術は、同期処理のために利用される。ここで、ＨおよびＶ信号は、コンポジットシンク信号へ結合される。コンポジットシンク信号は、さらに、グリーンビデオチャネルに結合される。この符号化技術は、複数のネットワークサーバの間で、あるネットワークサーバ１２２を選択するために利用される。簡単のために、シンクオングリーン符号化技術の詳細は、本明細書中で説明しない。
【００４２】
ここで図１６を参照して、ＲＣＭ１１６（図１２）内に設置される例示的な受信回路１６０が示される。受信回路は、明確にするために、単一のカラーコンポーネントチャネルを含むように示される。各Ｒ、Ｇ、Ｂチャネルが、各ＲＣＭ１１６内のそのような各受信回路を含むことが理解される。図１７は、ＨｓｙｎｃおよびＶｓｙｎｃ信号用のデコーダを実装する回路の詳細を開示する。ＨｓｙｎｃおよびＶｓｙｎｃ信号は、コモンモード信号に結合され、その結果、図１８に示されるようなダイオードの多重化という目的のために、符号化されたコモンモード同期信号を有するディファレンシャル出力を生成する。差動的な受信器１７１、１７２は、Ｒ、Ｇ、Ｂビデオコンポーネントと、図１５に示されるディファレンシャルスイッチングダイオードを制御するために利用されるＤＣコモンモード電流との両方を拒絶するＨｓｙｎｃおよびＶｓｙｎｃ信号を復号化するために利用される。
【００４３】
図１８は、例示的なラックインターコネクト回路チャネルビデオ送信回路１３０の詳細を示す。概略図は、符号化されたコモンモード同期信号を有するディファレンシャル出力を示し、コモンモードは、ダイオードの多重化のための信号を有効にする。上述のように、ビデオ送信回路１３０は、各ＲＩＰ７０内に設置される。送信回路１３０は、イネーブルスイッチ１３２と、それぞれＲ、Ｇ、Ｂチャネルに対するディファレンシャルビデオドライバユニット１３３、１３４、１３５とを含む。各ビデオドライバユニットは、ディファレンシャルビデオドライビング回路を含む。各ディファレンシャルビデオドライバユニットは、例えば、スイッチされたＲ、Ｇ、Ｂ信号のようなシングルエンドビデオを受信し、その受信した信号を、各ビデオドライバユニット１３３、１３４、１３５の「＋」および「−」出力で駆動されるように、ディファレンシャルビデオ信号へ変換する。Ｒ、Ｇ、Ｂペアは、Ｒ、Ｇ、Ｂビデオ信号と、ＨｓｙｎｃおよびＶｓｙｎｃ信号に含まれるビデオ同期信号とのための差動的な経路を提供する。各Ｒ、Ｇ、Ｂ信号は、コモンモード電圧の前後に集中される。コモンモード電圧は、イネーブルスイッチ１３２から出る各Ｒ、Ｇ、Ｂチャネルと、拡張されたＨｓｙｎｃおよびＶｓｙｎｃ値とに対するイネーブル電圧の累積として、定義される。ビデオドライバ出力から提供される電圧は、以下のようになる。
有効
Ｇｒｅｅｎ  Ｏｕｔ＋＝（Ｇｒｅｅｎ＋Ｖｂｉａｓ−Ｖｓｓｉｇ）ボルト
Ｇｒｅｅｎ  Ｏｕｔ−＝（−Ｇｒｅｅｎ＋Ｖｂｉａｓ−Ｖｓｓｉｇ）ボルト
Ｒｅｄ  Ｏｕｔ＋＝（Ｒｅｄ＋Ｖｂｉａｓ＋Ｖｓｓｉｇ／２−Ｈｓｓｉｇ）ボルト
Ｒｅｄ  Ｏｕｔ−＝（−Ｒｅｄ＋Ｖｂｉａｓ＋Ｖｓｓｉｇ／２−Ｈｓｓｉｇ）ボルト
Ｒｅｄ  Ｏｕｔ＋＝（Ｒｅｄ＋Ｖｂｉａｓ＋Ｖｓｓｉｇ／２＋Ｈｓｓｉｇ）ボルト
Ｒｅｄ  Ｏｕｔ−＝（−Ｒｅｄ＋Ｖｂｉａｓ＋Ｖｓｓｉｇ／２＋Ｈｓｓｉｇ）ボルト
ここで、Ｖｓｓｉｇ＝拡張された垂直同期信号の表示
Ｈｓｓｉｇ＝拡張された水平同期信号を表示
Ｖｂｉａｓ＝一定のオフセット
無効
Ｇｒｅｅｎ  Ｏｕｔ＋＝０ボルト
Ｇｒｅｅｎ  Ｏｕｔ−＝０ボルト
Ｒｅｄ  Ｏｕｔ＋＝０ボルト
Ｒｅｄ  Ｏｕｔ−＝０ボルト
Ｒｅｄ  Ｏｕｔ＋＝０ボルト
Ｒｅｄ  Ｏｕｔ−＝０ボルト
従って、例えば、スイッチされたＲ信号が、「ｘ」ボルト増加した場合、ビデオドライバ１３３の「＋」出力が、「ｘ」ボルトに比例して増加し、「−」出力が、「ｘ」ボルトに比例して減少する。このプロセスは、スイッチされたＧ、および、スイッチされたＢ入力に対して、同様に適用される。
【００４４】
従って、３つのＲ、Ｇ、Ｂディファレンシャル出力のいずれか１つのコモンモード電圧における任意の変化に対して、その他の出力の１つは、等しく、かつ、逆に変化する。これらの変化が発生する結果、カテゴリー５（ＣＡＴ５）ケーブルにおけるドライバユニット１３３、１３４、１３５によって生成される交流の累積は、符号化された同期信号のために、ゼロになる。こうした要求は、信号ノイズおよび放射を防ぐ一方、信号のバランスを保つために、必要となる。さらに図１８を参照すると、Ｒ、Ｇ、Ｂ信号は、ネットワークサーバ（図１２）から、イネーブルスイッチ１３２において受信され、ビデオイネーブル信号は、プロセッサと、またＲＩＰ７０内に含まれるスイッチング回路１３２とからも、受信される。Ｒ、Ｇ、Ｂ信号は、それぞれのビデオドライバ１３３、１３４、１３５のＨｓｙｎｃおよびＶｓｙｎｃ信号に、それぞれ結合される。最初の方で述べたように、Ｒ、Ｇ、Ｂ信号をＨｓｙｎｃおよびＶｓｙｎｃ信号と結合する回路は、ＲＩＰ７０内に含まれる各ビデオドライバユニットに存在する。
【００４５】
ここで図１９を参照すると、ダイオードでスイッチされたビデオ電流経路に対する例示的な回路図が示される。回路図は、２つの送信器を図示し、各送信器はＲＩＰ７０（図７）からのチャネルを表わす。図１９は、具体的に、別のＲＩＰ７０に設置された２つの異なる送信器からのレッドチャネルの例示的なモデルを示す。ライティングストリップは、ディファレンシャルビデオ信号のためのダイオードスイッチングを提供し、接続されたＲＩＣ／ＲＩＰの間のコマンド接続に対する、スプリッタ／コンバイナ動作を実行する。この例示的な図では、ＶＩＤＥＯ＿ＩＮは、簡単のために、単一の入力として示される。しかし、Ｒ、Ｇ、および、Ｂ信号が、各送信器１３０に関連して表示される各ＶＩＤＥＯ＿ＩＮに対応することが、理解される。図２０において示されるように生成されるコモンモード信号は、例示的なバッファおよび加算ノードを介して、ＶＩＤＥＯ＿ＩＮ信号に結合される。結合されたコモンモードおよびＶＩＤＥＯ＿ＩＮ信号は、ソースエンドターミネーション１９５を通過し、ワイヤリングストリップのダイオード「ｄ」を通過し、ワイヤリングストリップ１２０（図１２）のポート１２０９で、一緒に加算される。ビデオ信号は、ＲＣＭ１１６に設置された受信器（図１６）において、受信される。
【００４６】
動作においては、例えば、誰かが、送信器１におけるコモンモード（ＣＭ）電圧をＯＮ状態にし、同期（ｓｙｎｃ）信号をＣＭ電圧信号上に置き、送信器２におけるＣＭ電圧を「ゼロ」にし、そのビデオをＯＦＦにした場合、送信器２は、ＯＦＦになり、送信器２に関連するワイヤリングストリップ１２０のダイオード「ｄ」は、ワイヤリングストリップ１２０のバスから逆に偏向され、除去される。従って、ワイヤリングストリップ１２０を介したアクティブなビデオ信号のスイッチングは、インアクティブなチャネルに関連するダイオード「ｄ」を逆に偏向する一方で、アクティブなチャネルに関連したダイオード「ｄ」を介して電流を流すことによって、達成される。インアクティブなＲＩＰ７０のアクティブなビデオドライブをオフにスイッチすることを伴うこのスイッチングメカニズムは、効果的に、ダイオードの容量が原因で、不要なビデオが「流れ出る」ことを妨げ、それによって、インアクティブなＲＩＰケーブル配線からの伝送回線スタブ効果を排除する。
【００４７】
図２３は、ブレードサーバアーキテクチャで利用されるダイオードでスイッチされるビデオ電流経路の別の例示的な実施形態を示す。熟練者には、多重化サーバ（もしくは、「ブレード」）が共通のバックプレーンに接続された、公知のブレードサーバアーキテクチャおよびそれらの動作が、理解される。本発明は、例えば、図２３に示されるようなブレードアーキテクチャにおいて、適用される。
【００４８】
図１９および図２３の比較から、ブレードアーキテクチャシステム（図２３）の構造および動作は、ワイヤリングストリップの実施形態（図１９）と一致することが、理解できる。実際、図１９のシステムの動作についての上述の記述は、図２３のシステムに関連して、等しく適用され、ここで再び援用される。ブレードアーキテクチャでは、送信器（図１９）は、ワイヤリングストリップではなく、バックプレーン（図２３）にプラグ接続されるカードと置き換えられる。そうでない場合は、動作は一致する。２枚のカードのみが、図２３に示されるが、バックプレーンが物理的に適合する（封着を含む）のと同数のものが、描かれる。同様に、図２３のアーキテクチャは、１つだけしか示されていないが、バックプレーン上の受信器の数について、制限はなされない。
【００４９】
図２３に示されるように、ダイオードスイッチは、バックプレーン自体に設置される。ＲＩＰは、好ましくは、ブレード内に設置される。
【００５０】
図２３における参照番号１９０Ａ〜１９５Ａ、１３０Ａ、１２０Ａ、および、１６０Ａは全て、それぞれ全体として機能と動作と残りのアーキテクチャの関係において、図１９において、それらが対応する番号１９０〜１９５、１３０、１２０、および、１６０に対応する。
【００５１】
ここで図２０を参照すると、ＨｓｙｎｃおよびＶｓｙｎｃ信号をコモンモード信号と結合するための例示的な回路図が示される。回路２００は、抵抗加算ノード２０１、２０２、２０３、および、Ｖｂｉａｓ（イネーブル電圧）を含む。ＨｓｙｎｃおよびＶｓｙｎｃ信号は、それぞれのコモンモード電圧を生成するために、各Ｒ、Ｇ、Ｂ信号のためのイネーブル電圧と結合する。
【００５２】
一旦、ビデオ信号が、ＲＣＭ１１６によって受信されると、それらのビデオ信号は、デジタル化され、そのビデオの変更は、ビデオのスクリーンとスクリーンとの変更をモニタリングし、リモートユーザ１１２によって、イーサネット（Ｒ）ＬＡＮ１１０を介して、その変更をトラッキングすることによって、観測される。
【００５３】
図２１には、ＨｓｙｎｃおよびＶｓｙｎｃ信号の関数として、コモンモードＲ、Ｇ、Ｂ信号の関連を示す例示的なプロットが描かれる。描かれた例示的なプロットからわかるように、ＣＭグリーンのＡＣコンポーネントは、Ｖｓｙｎｃを反転したように示される。ＡＣコンポーネントＣＭブルーは、１／２Ｖｓｙｎｃ−Ｈｓｙｎｃのように示される。ＡＣコンポーネントＣＭレッドは、１／２Ｖｓｙｎｃ＋Ｈｓｙｎｃのように示される。
【００５４】
図２２は、Ｒ、Ｇ、Ｂ、コモンモード（ＣＭ）信号を介して、送信器から受信器への交流の累積が、ゼロに等しいことを示す例示的なプロットを描く。プロットで示されたオーバーレイされたコモンモード同期信号は、図２１に示されるようなコモンモード同期信号を表わす。コモンモードリターン電流は、Ｒ、Ｇ、および、Ｂドライバから受信器へ流れる全てのＣＭ電流の累積である。従って、リターン信号以下のコモンモード同期電流およびイネーブル電流の累積は、ゼロに等しい。
【００５５】
本発明のビデオをスイッチングする方法は、安価であり、さらに、サーバ管理を扱う際に、柔軟性を提供する。例えば、８ｘ１多重化、または、Ｎ倍８ｘ１多重化は、スイッチングエレメントを必要とするパワーソースなしで、可能となる。本発明のシステムは、低電力消費であり、サーバラックシステムに効果的に配置される。さらに、いくらかのライティングストリップは、ラック内に備え付けられ、続いて、ライティングストリップ出力は、管理上の目的のために、別のラックのＲＣＭへルーティングされ得る。
【００５６】
現在のところ最も実用的であり、かつ、好ましい実施形態と考えられるものと関連して本発明が説明されたが、本発明は、開示された実施形態に限定されず、逆に、添付の特許請求の範囲の意図と範囲との中に含まれる様々な改良、および、同等の改変をもカバーすることが意図されていることが、理解されるべきである。
【図面の簡単な説明】
【００５７】
【図１】図１は、リモートユーザを複数のネットワークサービスと相互接続する従来のアプローチを示す。
【図２】図２は、リモートユーザを複数のネットワークサービスと相互接続する従来のアプローチを示す。
【図３】図３は、リモートユーザを複数のネットワークサービスと相互接続する従来のアプローチを示す。
【図４】図４は、リモートユーザを複数のネットワークサービスと相互接続する従来のアプローチを示す。
【図５】図５は、リモートユーザを複数のネットワークサービスと相互接続する従来のアプローチを示す。
【図６】図６は、本発明の例示的な実施形態に応じた、例示的なＰＯＤ拡張モジュール（ＰＥＭ）（ライティングストリップ）を示す。
【図７】図７は、本発明の例示的な実施形態に応じた、例示的なラックインターフェイスポッド（ＲＩＰ）、すなわち、ネットワークと外部接続させるデバイスを示す。
【図８】図８は、本発明の例示的な実施形態に応じた、ＲＩＰの回路基板図を示す。
【図９】図９は、本発明の例示的な実施形態に応じた、ネットワークサーバパワー制御およびメンテナンス特性へアクセスを達成するために用いられる、ＲＩＣ（ラックインターコネクト）ＰＣＩカードの側面図を示す。
【図１０】本発明の例示的な実施形態に応じた、ラックコネクションマネージャ（ＲＣＭ）の背面図を示す。
【図１０Ａ】図１０Ａは、図１０で識別されるようなＲＣＭの詳細で例示的な図を示す。
【図１１】図１１は、本発明の例示的な実施形態に応じた、アナログＩＰビデオモジュールの背面図を示す。
【図１２】図１２は、本発明の例示的な実施形態に応じた、受動ビデオ多重化および拡張システムの構成例を示す。
【図１３】図１３は、本発明の例示的な実施形態に応じた、サーバ例の概略的なブロック図を示す。
【図１４】図１４は、本発明の例示的な実施形態に応じた、ＲＩＰ回路ブロック図を示す。
【図１５】図１５は、本発明の例示的な実施形態に応じた、ダイオードディファレンシャルペアを含むワイヤリング回路であって、ＰＥＭに位置し、それぞれのワイヤリングストリップの一部に関連した、例示的なワイヤリング回路を示す。
【図１６】図１６は、本発明の例示的な実施形態に応じた、単一のチャネルのための例示的な受信回路を示す。
【図１７】図１７は、本発明の例示的な実施形態に応じた、コモンモード信号からのＨｓｙｎｃ、Ｖｓｙｎｃを復号化するための例示的な回路を示す。
【図１８】図１８は、本発明の例示的な実施形態に応じた、ラックインターコネクトチャネル（ＲＩＣ）ビデオ伝送回路を示す。
【図１９】図１９は、本発明の例示的な実施形態に応じた、受信回路を含むラックインターコネクトチャネル（ＲＩＣ）回路を示す。
【図２０】図２０は、本発明の例示的な実施形態に応じた、準差動的な態様で符号化されたビデオ同期信号を有するＲＩＣコモンモード電流経路を示す。
【図２１】図２１は、本発明の例示的な実施形態に応じた、Ｈｓｙｎｃ、Ｖｓｙｎｃ信号の関数のようなコモンモードレッド、グリーン、ブルー同期信号のためのプロットを示す。
【図２２】図２２は、本発明の例示的な実施形態に応じた、送信器から受信器への電流の累積を表わすプロットを示す。
【図２３】図２３は、ブレードサーバアーキテクチャへ組み込まれたラックインターコネクトチャネル回路の代替の例示的な実施形態を示す。
【図１】
2004536377.tif 000003
【図２】
2004536377.tif 000004
【図３】
2004536377.tif 000005
【図４】
2004536377.tif 000006
【図５】
2004536377.tif 000007
【図８】
2004536377.tif 000008
【図１０】
2004536377.tif 000009
【図１０Ａ】
2004536377.tif 000010
【図１１】
2004536377.tif 000011
【図１３】
2004536377.tif 000012
【図１４】
2004536377.tif 000013
【図１５】
2004536377.tif 000014
【図１８】
2004536377.tif 000015
【図１９】
2004536377.tif 000016
【図２１】
2004536377.tif 000017
【図２２】
2004536377.tif 000018
【図２３】
2004536377.tif 000019
【国際公開パンフレット】
2004536377.tif 000020
2004536377.tif 000021
2004536377.tif 000022
2004536377.tif 000023
2004536377.tif 000024
2004536377.tif 000025
2004536377.tif 000026
2004536377.tif 000027
2004536377.tif 000028
2004536377.tif 000029
2004536377.tif 000030
2004536377.tif 000031
2004536377.tif 000032
2004536377.tif 000033
2004536377.tif 000034
2004536377.tif 000035
2004536377.tif 000036
2004536377.tif 000037
2004536377.tif 000038
2004536377.tif 000039
2004536377.tif 000040
2004536377.tif 000041
2004536377.tif 000042
2004536377.tif 000043
2004536377.tif 000044
2004536377.tif 000045
2004536377.tif 000046
2004536377.tif 000047
2004536377.tif 000048
2004536377.tif 000049
2004536377.tif 000050
2004536377.tif 000051
2004536377.tif 000052
2004536377.tif 000053
2004536377.tif 000054
2004536377.tif 000055
2004536377.tif 000056
2004536377.tif 000057
2004536377.tif 000058
2004536377.tif 000059
2004536377.tif 000060
2004536377.tif 000061
2004536377.tif 000062
2004536377.tif 000063
2004536377.tif 000064
2004536377.tif 000065
2004536377.tif 000066
2004536377.tif 000067
2004536377.tif 000068
2004536377.tif 000069
2004536377.tif 000070
2004536377.tif 000071
2004536377.tif 000072
2004536377.tif 000073
2004536377.tif 000074
2004536377.tif 000075
2004536377.tif 000076
2004536377.tif 000077
2004536377.tif 000078
2004536377.tif 000079
2004536377.tif 000080
【国際調査報告】
2004536377.tif 000081